(57)【要約】【課題】メンテナンスが容易で作業性能に優れたケーシング付きオーガを実現する。【解決手段】回転軸１１と、回転軸１１に螺旋状に設けられた羽根本体１２と、羽根本体１２に交換可能に取り付けられた交換羽根１３とを備えたオーガ１において、羽根本体１２に回転軸１１側から外縁に向けて厚みが薄くなるテーパをつけ、交換羽根１３に羽根本体１２の外縁側に嵌合する嵌合部１３ａを形成することで、羽根本体１２に交換羽根１３を容易に取り付けたり取り外したりすることを可能にし、交換羽根１３が摩耗したり損傷したりした場合に容易に取り替えることを可能にした。【選択図】図１
2015140511.tif 000002
【特許請求の範囲】
【請求項１】
ケーシングの内部にオーガを備えたケーシング付きオーガであって、
前記オーガは、
回転軸と、
前記回転軸に螺旋状に設けられた羽根本体と、
前記羽根本体に交換可能に取り付けられた交換羽根と、
を備え、
前記羽根本体には、前記回転軸側から外縁に向けて厚みが薄くなるテーパがつけられており、
前記交換羽根には、前記羽根本体の外縁側に嵌合する嵌合部が形成されていることを特徴とするケーシング付きオーガ。
【請求項２】
前記羽根本体には、前記羽根本体の螺旋ピッチの１／２以下のサイズの前記交換羽根が複数取り付けられていることを特徴とする請求項１に記載のケーシング付きオーガ。
【請求項３】
前記交換羽根の外面の少なくとも一部に、硬化肉盛が設けられていることを特徴とする請求項１又は２に記載のケーシング付きオーガ。
【発明の詳細な説明】
【技術分野】
【０００１】
本発明は、ケーシング付きオーガに関する。
【背景技術】
【０００２】
地盤を削孔するケーシング付きオーガは、例えば、矢板圧入時の穿孔掘削に用いられる。この掘削は硬質地盤に対して行われ、ケーシング付きオーガの搬送物は破砕岩や砂礫が主となるためオーガ羽根は磨耗しやすく、その磨耗に応じてオーガ羽根の交換や補修を行う必要が生じる（例えば、特許文献１，２参照。）。
また、ケーシング付きオーガの搬送物が主に破砕岩や砂礫であるため、動作時に騒音が発生しやすく、住宅地や商業地などでの作業の支障となるので、その動作時の静音性が要求されている。
【先行技術文献】
【特許文献】
【０００３】
【特許文献１】実開昭６０−１４４６８９号公報
【特許文献２】特開平９−１５０９３２号公報
【発明の概要】
【発明が解決しようとする課題】
【０００４】
しかしながら、上記特許文献１のように、オーガ羽根の外縁に帯状鋼材をその板面が略垂直となるように溶接する補修の場合、一人が帯状鋼材に熱を加えながら捩って、もう一人がその帯状鋼材をオーガ羽根に連続溶接するため、高温となる作業環境下に複数の作業員が必要となる上に、多大な時間と労力を要してしまう。
また、この補修方法では補修箇所の外径精度が悪いので、補修したオーガをケーシングに挿入できなくなることを懸念して、オーガ羽根の外径をケーシング内径よりも小径にしてしまうため、オーガ羽根とケーシング内面との隙間が大きく砂礫などの排出能力が低くなってしまうことがある。また、オーガ羽根とケーシング内面との隙間が大きいとその隙間に破砕岩を噛み込んでしまうためにオーガ羽根の摩耗が早く、短期間で補修が必要になってしまい、さらに補修に要する時間や費用がかさむという問題が生じる。特に、オーガ羽根とケーシング内面との隙間が大きいと、破砕岩を噛み込んで砕く破壊音や、ケーシング内でオーガが振れて生じる干渉音などの騒音が発生してしまう問題が生じる。
【０００５】
また、上記特許文献２のように、オーガ羽根の外縁に複数の耐摩耗材を螺旋状に一連に溶接するという補修作業では効率が悪く、その補修には多大な時間と労力を要し、費用がかさんでしまう。
また、隣接する耐摩耗材同士は溶接されていないために強度は弱く、部分的に曲がってしまうことがあり、オーガ羽根とケーシング内面との隙間が広がることで、砂礫などの排出能力が低くなってしまうことがある。また、オーガ羽根とケーシング内面との隙間が広がることで、その隙間に破砕岩を噛み込んで砕く破壊音や、ケーシング内でオーガが振れて生じる干渉音などの騒音が発生してしまう問題が生じる。
【０００６】
本発明の目的は、メンテナンスが容易で作業性能に優れたケーシング付きオーガを提供することである。
【課題を解決するための手段】
【０００７】
以上の課題を解決するため、請求項１に記載の発明は、
ケーシングの内部にオーガを備えたケーシング付きオーガであって、
前記オーガは、
回転軸と、
前記回転軸に螺旋状に設けられた羽根本体と、
前記羽根本体に交換可能に取り付けられた交換羽根と、
を備え、
前記羽根本体には、前記回転軸側から外縁に向けて厚みが薄くなるテーパがつけられており、
前記交換羽根には、前記羽根本体の外縁側に嵌合する嵌合部が形成されていることを特徴とする。
【０００８】
請求項２に記載の発明は、請求項１に記載のケーシング付きオーガにおいて、
前記羽根本体には、前記羽根本体の螺旋ピッチの１／２以下のサイズの前記交換羽根が複数取り付けられていることを特徴とする。
【０００９】
請求項３に記載の発明は、請求項１又は２に記載のケーシング付きオーガにおいて、
前記交換羽根の外面の少なくとも一部に、硬化肉盛が設けられていることを特徴とする。
【発明の効果】
【００１０】
本発明によれば、メンテナンスが容易で作業性能に優れたケーシング付きオーガを得ることができる。
【図面の簡単な説明】
【００１１】
【図１】本実施形態のケーシング付きオーガを一部破断視して示す側面図である。
【図２】本実施形態のケーシング付きオーガを一部破断視して示す上面図である。
【図３】ケーシング付きオーガのオーガを一部断面視して示す拡大側面図である。
【図４】オーガの変形例を一部断面視して示す拡大側面図である。
【図５】オーガの変形例を一部断面視して示す拡大側面図である。
【図６】オーガの変形例を一部断面視して示す拡大側面図である。
【図７】オーガの変形例を一部断面視して示す拡大側面図である。
【図８】オーガの変形例を一部断面視して示す拡大側面図である。
【発明を実施するための形態】
【００１２】
以下、図面を参照して、本発明に係るケーシング付きオーガの実施形態について詳細に説明する。
【００１３】
本実施形態のケーシング付きオーガ１００は、図１〜図３に示すように、オーガ１と、オーガ１を内部に備えた略円筒状のケーシング２等を有している。
【００１４】
オーガ１は、回転軸１１と、回転軸１１に螺旋状に設けられた羽根本体１２と、羽根本体１２に交換可能に取り付けられた交換羽根１３等を備えている。このオーガ１の下端側の先端部にはオーガヘッド（図示省略）を取り付けることができる。
【００１５】
羽根本体１２は、螺旋形状を呈する鋼製の部材であり、回転軸１１の周面に溶接されている。例えば、図３に示すように、羽根本体１２の内縁と回転軸１１とを繋ぐ溶接ビード１２ａが設けられた状態で、羽根本体１２は回転軸１１に固設されている。この羽根本体１２は、一定の幅の帯状の鋼材を回転軸１１に螺旋状に巻き付けて溶接することで、寸法精度よく形成することができる。
また、羽根本体１２には、回転軸１１側から外縁に向けて厚みが薄くなるテーパがつけられている。例えば、図３に示す羽根本体１２の場合、回転軸１１の軸方向に沿う面で断面視した際、羽根本体１２の上面と下面には回転軸１１の軸方向と直交しない向きにテーパがつけられており、上面は外縁に向かって下がる傾斜を有し、下面は外縁に向かって上がる傾斜を有している。
【００１６】
交換羽根１３は、羽根本体１２の螺旋ピッチの１／２以下のサイズの螺旋形状を有している鋼製の部材である。
また、交換羽根１３は、回転軸１１の軸方向に沿う面で断面視した際、略コ字形状を呈する部材であり、交換羽根１３の内周側には羽根本体１２の外縁側に嵌合する嵌合部１３ａが形成されている。この嵌合部１３ａは、羽根本体１２とテーパ嵌合するように、羽根本体１２の外縁のテーパ形状に応じた溝形状に形成されている。この交換羽根１３は鍛造で造られており、嵌合部１３ａなどは寸法精度よく形成されている。
そして、羽根本体１２には、羽根本体１２の螺旋ピッチの１／２以下のサイズであって、上面視した際の中心角θが１８０°以下の円弧形状（略Ｃ字形状）の交換羽根１３が複数取り付けられている。この交換羽根１３が羽根本体１２の螺旋ピッチの１／２以下のサイズであることで、螺旋形状であっても羽根本体１２に着脱しやすくなっている。
本実施形態の交換羽根１３は、羽根本体１２の螺旋ピッチの１／３のサイズであって、上面視した際の中心角θが１２０°の円弧形状を有している。
【００１７】
この複数の交換羽根１３は所定間隔をあけて羽根本体１２に取り付けられ、隣接する交換羽根１３と溶接されて繋がれている。例えば、図２に示すように、羽根本体１２に取り付けられた交換羽根１３は溶接連結部１５によって繋がれており、隣接する交換羽根１３同士が溶接連結部１５で繋がれたことで、交換羽根１３が羽根本体１２に固定されるようになっている。
特に、交換羽根１３の嵌合部１３ａは、羽根本体１２の外縁のテーパ形状に対応して寸法精度よく形成されており、羽根本体１２に交換羽根１３がしっかりとテーパ嵌合するので、溶接連結部１５による部分的な溶接によって交換羽根１３を羽根本体１２に固定することが可能になっている。
【００１８】
また、交換羽根１３の外面の少なくとも一部には、硬化肉盛１４が設けられている。
硬化肉盛１４は、例えば、タングステンカーバイド系材料を肉盛溶接して形成した補強部であり、交換羽根１３の上面から外側面に亘って設けられている。
【００１９】
このような硬化肉盛１４が設けられた交換羽根１３は、予め工場などで精度よく製造することができ、また、羽根本体１２も寸法精度よく形成されているので、交換羽根１３を羽根本体１２に取り付けた状態での交換羽根１３（硬化肉盛１４）の外径精度も良好に設計することができる。そして、交換羽根１３の硬化肉盛１４とケーシング２の内面との隙間を、例えば数ｍｍと狭くすることが可能になる。
【００２０】
また、この交換羽根１３は、羽根本体１２の外縁にテーパ嵌合させることができるので、施工現場であっても短時間で且つ容易に羽根本体１２に交換羽根１３を取り付けることができる。
そして、羽根本体１２に取り付けられた交換羽根１３は、隣接する交換羽根１３同士を溶接してなる溶接連結部１５で繋ぐことで、容易に羽根本体１２に固定することができる。また、隣接する交換羽根１３同士を繋いでいる溶接連結部１５を切断することで、羽根本体１２から任意の交換羽根１３を取り外すことができる。
【００２１】
以上のように、本実施形態のケーシング付きオーガ１００であれば、オーガ１の羽根本体１２に交換羽根１３を容易に固定することができるとともに、容易に取り外すことができるので、交換羽根１３が摩耗したり損傷したりした場合に容易に取り替えることができる。
特に、羽根本体１２に取り付けた交換羽根１３（硬化肉盛１４）とケーシング２の内面との隙間を精度よく狭くすることができるので、ケーシング付きオーガ１００の搬送物である破砕岩や砂礫、土砂などの排出効率を高めることができる。
また、交換羽根１３（硬化肉盛１４）とケーシング２の内面との隙間を狭くすることで、その隙間に破砕岩や砂礫が入り難くなるので、交換羽根１３（硬化肉盛１４）の摩耗が進行しにくく、交換羽根１３の長寿命化を図ることができる。
さらに、交換羽根１３（硬化肉盛１４）とケーシング２の内面との隙間に破砕岩や砂礫が入り難くなることで破砕岩などを砕く破壊音を低減することができる。また、その隙間を狭くすることで、ケーシング２内でオーガ１が振れて生じる干渉音などの騒音を低減することができる。
【００２２】
このように、このケーシング付きオーガ１００は、メンテナンスが容易で作業性能に優れた機器であるといえる。
【００２３】
なお、本発明は上記実施形態に限られるものではない。
オーガ１の羽根本体１２には、回転軸１１側から外縁に向けて厚みが薄くなるテーパがつけられているが、例えば、図４に示すように、回転軸１１の軸方向に沿う面で羽根本体１２を断面視した際、羽根本体１２の下面に回転軸１１の軸方向と直交しない向きにテーパがつけられて外縁に向かって上がる傾斜を有していれば、上面にはテーパがつけられていなくてもよい。
また、羽根本体１２の上面にテーパがつけられて外縁に向かって下がる傾斜を有していれば、下面にはテーパがつけられていなくてもよい。
【００２４】
また、オーガ１の羽根本体１２の全体にテーパがつけられていなくてもよく、例えば、図５に示すように、交換羽根１３の嵌合部１３ａが接触する部分にテーパが形成されて外縁に向けて厚みが薄くなっていれば、羽根本体１２の回転軸１１側の根本部分は上面と下面とが平行となる厚みを有していてもよい。
【００２５】
また、交換羽根１３は、回転軸１１の軸方向に沿う面で断面視した際に、略コ字形状を呈していなくてもよく、例えば、図６に示すように、断面視略Ｌ字形状を呈する部材であってもよい。
【００２６】
また、例えば、図７に示すように、羽根本体１２に係合凹部１２ｂを形成するとともに、交換羽根１３に係合凸部１３ｂを形成し、その係合凹部１２ｂに係合凸部１３ｂを嵌め合わせるようにして、羽根本体１２に交換羽根１３を固定するようにしてもよい。さらに、交換羽根１３を羽根本体１２にかしめて、その固定強度を高めるようにしてもよい。
この羽根本体１２の係合凹部１２ｂに交換羽根１３の係合凸部１３ｂを係合させることで、ケーシング付きオーガ１００の動作時に交換羽根１３が脱落しない固定強度が得られる場合、隣接する交換羽根１３同士を溶接してなる溶接連結部１５を形成して、交換羽根１３を羽根本体１２に固定しなくてもよい。勿論、羽根本体１２の係合凹部１２ｂに交換羽根１３の係合凸部１３ｂを係合させたうえで、溶接連結部１５を用いた固定を行ってもよい。
【００２７】
また、例えば、図８に示すように、羽根本体１２と交換羽根１３のそれぞれに上下に貫通した係止孔を形成し、互いに位置合わせした係止孔に係止ピン１６を取り付けて、羽根本体１２に交換羽根１３を固定するようにしてもよい。なお、係止孔に係止ピン１６を挿入する代わりに、係止ボルトを螺着して交換羽根１３を羽根本体１２に固定してもよい。
この係止孔に係止ピン１６を挿入することで、ケーシング付きオーガ１００の動作時に交換羽根１３が脱落しない固定強度が得られる場合、隣接する交換羽根１３同士を溶接してなる溶接連結部１５を形成して、交換羽根１３を羽根本体１２に固定しなくてもよい。勿論、係止孔に係止ピン１６を挿入したうえで、溶接連結部１５を用いた固定を行ってもよい。
【００２８】
なお、本発明の適用は上述した実施形態に限定されることなく、本発明の趣旨を逸脱しない範囲で適宜変更可能である。
【符号の説明】
【００２９】
１      オーガ
２      ケーシング
１１    回転軸
１２    羽根本体
１２ｂ  係合凹部
１３    交換羽根
１３ａ  嵌合部
１３ｂ  係合凸部
１４    硬化肉盛
１５    溶接連結部
１６    係止ピン
１００  ケーシング付きオーガ
【図１】
2015140511.tif 000003
【図２】
2015140511.tif 000004
【図３】
2015140511.tif 000005
【図４】
2015140511.tif 000006
【図５】
2015140511.tif 000007
【図６】
2015140511.tif 000008
【図７】
2015140511.tif 000009
【図８】
2015140511.tif 000010